(57)【要約】【課題】所望のドットゲイン値及び／又は所望のコントラスト値に対応するベタ部の印刷濃度を決定する際に、時間を短縮し、又は、消費する紙の量を減少させる。【解決手段】  印刷板は、印刷の流れに垂直な方向に、網点面積率の小さい部分（１１ａ）と網点面積率の大きい部分（１１ｂ）とを有する第１の画線部（１１）と、１００％の網点面積率を有する第２の画線部（１２）と、Ｎ％（０＜Ｎ＜１００）の網点面積率を有する第３の画線部（１３）とを備える。第２の画線部（１２）及び第３の画線部（１３）は、第１の画線部（１１）に対して、印刷の流れ方向の下手に配置され、また、所望のドットゲイン値及び／又は所望のコントラスト値に対応するベタ部の印刷濃度を決定するために用いられる。【選択図】  図１
2005313431.tif 000002
【特許請求の範囲】
【請求項１】
印刷板であって、該印刷板は、
印刷の流れに垂直な方向に、網点面積率の小さい部分（１１ａ）と網点面積率の大きい部分（１１ｂ）とを有する第１の画線部（１１）と、
１００％の網点面積率を有する第２の画線部（１２）と、
Ｎ％（０＜Ｎ＜１００）の網点面積率を有する第３の画線部（１３）と、
を備え、
第２の画線部（１２）及び第３の画線部（１３）は、第１の画線部（１１）に対して、印刷の流れ方向の下手に配置され、また、所望のドットゲイン値及び／又は所望のコントラスト値に対応するベタ部の印刷濃度を決定するために用いられる、印刷版。
【請求項２】
請求項１に記載の印刷版であって、第１の画線部（１１）の網点面積率は、網点面積率の小さい部分（１１ａ）から網点面積率の大きい部分（１１ｂ）まで、段階的に変化する、印刷版。
【請求項３】
請求項１に記載の印刷版であって、第１の画線部（１１）の網点面積率は、網点面積率の小さい部分（１１ａ）から網点面積率の大きい部分（１１ｂ）まで、直線的に変化する、印刷版。
【請求項４】
請求項１〜請求項３の何れか１項に記載の印刷版であって、Ｎ＝５０である、印刷版。
【請求項５】
請求項１〜請求項３の何れか１項に記載の印刷版であって、Ｎ＝７５である、印刷版。
【請求項６】
請求項１〜請求項５の何れか１項に記載の印刷版であって、該印刷板は、
Ｍ％（０＜Ｍ＜１００、Ｍ≠Ｎ）の網点面積率を有する第４の画線部（１３−２）を、
更に備え、
第４の画線部（１３−２）は、第１の画線部（１１）に対して、印刷の流れ方向の下手に配置され、また、所望のドットゲイン値及び／又は所望のコントラスト値に対応するベタ部の印刷濃度を決定するために用いられる、印刷版。
【請求項７】
請求項６に記載の印刷版であって、Ｎ＝５０であり、Ｍ＝７５である、印刷版。
【請求項８】
請求項１〜請求項７の何れか１項に記載の印刷版を作るためのチャート・データ。
【請求項９】
請求項１〜請求項７の何れか１項に記載の印刷版を用いて印刷されたチャート。
【請求項１０】
請求項１に記載の印刷版を用いて印刷濃度を決定する方法であって、
前記印刷版を用いてチャートが印刷されるステップと、
第２の画線部（１２）に対応するチャートの第１画像部の第１濃度が、印刷の流れに垂直な方向に、複数の第１測定位置で、測定されるステップと、
第３の画線部（１３）に対応するチャートの第２画像部の第２濃度が、印刷の流れに垂直な方向に、複数の第２測定位置で、測定されるステップであって、第１測定位置と第２測定位置との両者は、印刷の流れ方向に沿った同一直線上にある、ステップと、
チャートの白色部の第３濃度が、測定されるステップと、
チャートの第２画像部の複数のドットゲイン値のそれぞれが、印刷の流れ方向に沿った同一直線上にある第１濃度および第２濃度と第３濃度とから、算出されるステップと、
所望のドットゲイン値に対応する第１濃度が、チャートの第２画像部の複数のドットゲイン値のそれぞれと、それに対応するチャートの第１画像部の第１濃度との関係から、ベタ部の印刷濃度として、決定されるステップと、
を含む方法。
【請求項１１】
請求項１に記載の印刷版を用いて印刷濃度を決定する方法であって、
前記印刷版を用いてチャートが印刷されるステップと、
第２の画線部（１２）に対応するチャートの第１画像部の第１濃度が、印刷の流れに垂直な方向に、複数の第１測定位置で、測定されるステップと、
第３の画線部（１３）に対応するチャートの第２画像部の第２濃度が、印刷の流れに垂直な方向に、複数の第２測定位置で、測定されるステップであって、第１測定位置と第２測定位置との両者は、印刷の流れ方向に沿った同一直線上にある、ステップと、
チャートの第２画像部の複数のコントラスト値のそれぞれが、印刷の流れ方向に沿った同一直線上にある第１濃度および第２濃度から、算出されるステップと、
所望のコントラスト値に対応する第１濃度が、チャートの第２画像部の複数のコントラスト値のそれぞれと、それに対応するチャートの第１画像部の第１濃度との関係から、ベタ部の印刷濃度として、決定されるステップと、
を含む方法。
【発明の詳細な説明】
【技術分野】
【０００１】
本発明は、一般に、印刷機によって印刷される印刷物におけるベタ部（網点面積率＝１００％）の印刷濃度を決定する方法に関連し、より詳細には、複数のベタ部の印刷濃度のそれぞれと、それに対応するドットゲイン値（及び／又はコントラスト値）との関係を効率的に予め求め、所望のドットゲイン値（及び／又はコントラスト値）に対応するベタ部の印刷濃度を決定する方法に関連する。
【背景技術】
【０００２】
校正用印刷機によって印刷された印刷物（色見本）と、その印刷物と同じ印刷物を得るための印刷機によって印刷された印刷物（製品）との間の色再現を管理する方法は、概して、以下の２通りの手法を含む。
【０００３】
第１の手法は、校正用印刷機によって印刷された色見本と印刷機によって印刷された製品との間のベタ部の印刷濃度を一定に保ち、両者間のドッドゲイン値も一定に保つ手法である。一般に、ドッドゲイン値は、印刷機によって異なるため、第１の手法においては、校正用印刷機又は印刷機の何れか一方のドッドゲイン値が、例えばＲＩＰ（Raster Image Processor）ソフトウェアの調子設定において、調節され、両者間のドッドゲイン値が一致する。両者間のドッドゲイン値が一致するように調整された状態で、校正用印刷機及び印刷機は、ベタ部の共通の印刷濃度を用いて、それぞれ色見本及び製品を印刷する。
【０００４】
第２の手法は、校正用印刷機によって印刷された色見本と印刷機によって印刷された製品との間のドッドゲイン値を一定に保つ手法である。ドッドゲイン値は、印刷機によって異なるため、第２の手法においては、校正用印刷機又は印刷機の何れか一方の複数のベタ部の印刷濃度のそれぞれと、それに対応するドッドゲイン値との関係が、予め求められ、両者間のドッドゲイン値が一致するように、何れか一方の印刷機のベタ部の印刷濃度が決定される。両者間のドッドゲイン値が一致するように調整された状態で、校正用印刷機及び印刷機は、ベタ部の個々の印刷濃度を用いて、それぞれ色見本及び製品を印刷する。
【発明の開示】
【発明が解決しようとする課題】
【０００５】
第２の手法において、校正用印刷機又は印刷機の何れか一方の複数のベタ部の印刷濃度のそれぞれと、それに対応するドッドゲイン値との関係を求めるためには、複数回の印刷行程を要する。即ち、ベタ部の印刷濃度とドッドゲイン値との関係を求めるためには、印刷行程毎に、ベタ部の所望の異なる印刷濃度を得る必要があった。それぞれの印刷工程において、ベタ部の印刷濃度を得るために要する時間は、多かった。また、その時間にともない、消費する紙の量も、多かった。
【０００６】
本発明の課題は、複数のベタ部の印刷濃度のそれぞれと、それに対応するドットゲイン値との関係を効率的に求める手法を提供し、また、この手法を用いた新規な方法であって、所望のドットゲイン値に対応するベタ部の印刷濃度を決定する方法を提供することにある。言い換えれば、本発明の課題は、所望のドットゲイン値に対応するベタ部の印刷濃度を決定する際に、時間を短縮し、又は、消費する紙の量を減少させる方法を提供することにある。
【０００７】
なお、提供する新規な方法は、ドットゲイン値に加えて、又はその代わりに、コントラスト値を用いることができる。コントラスト値を用いる場合、校正用印刷機と印刷機との両者間のコントラスト値が一致するように、何れか一方の印刷機のベタ部の印刷濃度が決定される。
【０００８】
本発明の他の課題は、本明細書及び図面を通じて、当業者にとって明らかになるであろう。
【課題を解決するための手段】
【０００９】
本発明の印刷板は、印刷の流れに垂直な方向に、網点面積率の小さい部分（１１ａ）と網点面積率の大きい部分（１１ｂ）とを有する第１の画線部（１１）と、１００％の網点面積率を有する第２の画線部（１２）と、Ｎ％（０＜Ｎ＜１００）の網点面積率を有する第３の画線部（１３）とを備える。第２の画線部（１２）及び第３の画線部（１３）は、第１の画線部（１１）に対して、印刷の流れ方向の下手に配置され、また、所望のドットゲイン値及び／又は所望のコントラスト値に対応するベタ部の印刷濃度を決定するために用いられる。
【００１０】
好ましくは、第１の画線部（１１）の網点面積率は、網点面積率の小さい部分（１１ａ）から網点面積率の大きい部分（１１ｂ）まで、段階的に変化する。
本発明の印刷板は、Ｍ％（０＜Ｍ＜１００、Ｍ≠Ｎ）の網点面積率を有する第４の画線部（１３−２）を、更に備えることができる。
【００１１】
本発明の他の形態は、本発明の印刷版を用いて印刷濃度を決定する方法である。本発明の方法は：本発明の印刷版を用いてチャートが印刷されるステップと；第２の画線部（１２）に対応するチャートの第１画像部の第１濃度が、印刷の流れに垂直な方向に、複数の第１測定位置で、測定されるステップと；第３の画線部（１３）に対応するチャートの第２画像部の第２濃度が、印刷の流れに垂直な方向に、複数の第２測定位置で、測定されるステップであって、第１測定位置と第２測定位置との両者は、印刷の流れ方向に沿った同一直線上にある、ステップと；チャートの白色部の第３濃度が、測定されるステップと；チャートの第２画像部の複数のドットゲイン値のそれぞれが、印刷の流れ方向に沿った同一直線上にある第１濃度および第２濃度と第３濃度とから、算出されるステップと；所望のドットゲイン値に対応する第１濃度が、チャートの第２画像部の複数のドットゲイン値のそれぞれと、それに対応するチャートの第１画像部の第１濃度との関係から、ベタ部の印刷濃度として、決定されるステップと；を含む。
【００１２】
本発明の方法は、ドットゲイン値の代わりにコントラスト値を用いることができ、その場合、チャートの白色部の第３濃度の測定を省略することができる。
本発明の他の形態は、本発明の印刷版を作るためのチャート・データ、及び、本発明の印刷版を用いて印刷されたチャートを含む。
【発明を実施するための最良の形態】
【００１３】
（作用）
平版印刷機において、インキは、インキ壺から多数のローラーを介してインキ着けローラーに移送されるので、インキ着けローラー上には、薄膜状のインキが形成されている。このような状態で、インキ着けローラーと印刷版の画線部とが接触すると、印刷版の画線部には、薄膜状のインキが供給される。その後、インキ着けローラー側の印刷版の画線部と接触した部分（インキを供給した部分）は、隣のローラーから新たなインキの供給を受ける。その後、このような、インキ着けローラー上でのインキの授受が、繰り返されながら、印刷作業が行われる。
【００１４】
ここで、インキ着けローラーから印刷版の画線部へのインキの供給を「インキ供給量」とし、インキ着けローラーへの隣のローラーからのインキの受け取りを「インキ受取量」とした時、「インキ供給量」＝「インキ受取量」の場合、インキ着けローラー上のインキの膜厚は、印刷中で変化することはない。
【００１５】
しかしながら、印刷の初期（刷り始め）においては、通常、「インキ供給量」＞「インキ受取量」の関係となっており、印刷が繰り返されるたびに、インキ着けローラー上のインキの膜厚は、減少していくことになる。実際には、インキ付けローラー上のインキの膜厚が減少するにしたがって、インキを供給する能力が低下するため、インキ供給量も減少する。そして、「インキ供給量」＞「インキ受取量」から、やがて「インキ供給量」＝「インキ受取量」の平衡に達し、インキ着けローラー上のインキの膜厚は、定値化する。
【００１６】
ところで、インキ付けローラーと印刷版の画線部とが接触した時、網点面積率の大きな網点から構成されている画線部には、多量のインキが供給され、網点面積率の小さい網点から構成されている画線部には、少量のインキが供給される。そうすると、網点面積率のより大きな網点から構成されている画線部と接触するインキ着けローラーの部分では、「インキ供給量」＞＞「インキ受取量」となって、インキの膜厚は、より薄くなる。
【００１７】
薄い膜厚のインキが形成されているインキ着けローラーの部分と印刷版の画線部とが接触すると、その画線部に対応する印刷物の濃度は、低くなる。一方、厚い膜厚のインキが形成されているインキ着けローラーの部分と印刷版の画線部とが接触すると、その画線部に対応する印刷物の濃度は、高くなる。
【００１８】
本発明は、このような関係又は原理を利用して、複数のベタ部の印刷濃度（異なる印刷濃度）のそれぞれと、それに対応するドットゲイン値との関係を求め、その関係を用いて、所望のドットゲイン値及び／又は所望のコントラスト値に対応するベタ部の印刷濃度を決定する。
【００１９】
（本発明の実施の形態）
図１は、本発明に従った平版印刷版の１例を表す。図１において、印刷の流れ方向は、インキ着けローラー（図示せず）が平版印刷板１０と接触して行く方向である。言い換えれば、インキ着けローラーが平版印刷板１０上を転がる方法である。図１に示すように、平版印刷版１０は、印刷の流れ方向の上手から下手に向かって、画線部１１、画線部１２及び画線部１３の順列で、画線部１１、画線部１２及び画線部１３を備える。なお、画線部は、全面が連続した皮膜ではなく、網点と呼ばれる微少なドットから形成されている。
【００２０】
画線部１１は、印刷の流れに垂直な方向に、網点面積率の小さい部分１１ａと網点面積率の大きい部分１１ｂとを備える。好ましくは、図１に示すように、画線部１１の網点面積率は、印刷の流れに垂直な方向に、段階的に変化する。例えば、画線部１１の網点面積率は、印刷の流れに垂直な方向に、０％〜１００％まで、直線的に変化する。なお、画線部１１の網点面積率は、印刷の流れに垂直な方向に、一定の範囲（例えば、下限と上限との間が７０％である範囲（例えば、０％〜７０％まで、１０％〜８０％まで、２０％〜９０％まで、３０％〜１００％まで等））で、直線的に変化してもよい。
【００２１】
画線部１１の網点面積率が印刷の流れに垂直な方向に段階的に変化する部分の幅Ｗは、好ましくは、平版印刷板１０の幅の１／２倍以上である。
網点面積率の小さい部分１１ａ及び網点面積率の大きい部分１１ｂ（或いは、網点面積率が印刷の流れに垂直な方向に段階的に変化する部分）は、それぞれ、印刷の流れ方向に、伸びており、その部分の長さＬは、好ましくは、平版印刷板１０の長さの１／２倍以上であり、且つインキ着けローラーの円周の１／２倍以上である。より好ましくは、長さＬは、平版印刷板１０の長さの１／２倍以上であり、且つインキ着けローラーの円周の１倍以上である。
【００２２】
画線部１２は、１００％の網点面積率を備える。画線部１２の幅は、好ましくは、画線部１１の幅Ｗとほぼ一致する。画線部１２の長さは、短い程、好ましい。
画線部１３は、所定の網点面積率（例えば、５０％、７５％など）を備える。画線部１３の幅は、好ましくは、画線部１１の幅Ｗとほぼ一致する。画線部１３の長さは、短い程、好ましい。
【００２３】
図１において、画線部１２は、画線部１３に対して、印刷の流れ方向の上手に配置され、画線部１３は、画線部１２に対して、印刷の流れ方向の下手に配置されている。しかしながら、画線部１２と１３との配置を入れ替え、画線部１２は、画線部１３に対して、印刷の流れ方向の上手に配置されてもよい。
【００２４】
図２は、本発明に従った平版印刷版が装着された印刷版ローラー２２とインキ着けローラー２１との配置図と、インキ着けローラー２１上のインキの膜厚を表す図である。
平版印刷版の画線部１１は、印刷の流れに垂直な方向に、網点面積率が印刷の流れに垂直な方向に段階的に変化する部分（或いは、網点面積率の小さい部分１１ａ及び網点面積率の大きい部分１１ｂ）を備える。従って、インキ着けローラー２１がそのような画線部１１と接触し、インキがインキ着けローラー２１から画線部１１に供給されると、インキ着けローラー２１上のインキは、図２の右図に示すように、膜厚が印刷の流れに垂直な方向に段階的に変化する部分（或いは、膜厚の薄い部分２３ａ及び膜厚の厚い部分２３ｂ）を備える。なお、インキ着けローラー２１上のインキの膜厚が、印刷の流れに垂直な方向に段階的に変化する（或いは、薄い部分２３ａと厚い部分２３ｂとを備える）ためには、画線部１１は、所定の長さＬを備える必要があり、画線部１１の長さＬは、上述のように、好ましくは、平版印刷板１０の長さの１／２倍以上であり、且つインキ着けローラー２１の円周の１／２倍以上である。
【００２５】
インキ着けローラー２１が、画線部１１と接触し終わり、インキ着けローラー２１上のインキの膜厚が、印刷の流れに垂直な方向に段階的に変化するように形成される状態において、インキ着けローラー２１が、次の画線部である画線部１２と接触すると、画線部１２（網点面積率＝１００％）に対応する印刷物の濃度（ベタ部の印刷濃度）は、印刷の流れに垂直な方向に段階的に変化する。なお、インキ着けローラー２１が、画線部１２と接触する直前で、インキ着けローラー２１上のインキの膜厚が、印刷の流れに垂直な方向に段階的に変化するように形成される状態を維持するために、印刷の流れ方向において、画線部１１と画線部１２との間は、好ましくは、平版印刷版１０は、他の画線部を備えない。言い換えれば、平版印刷版１０は、印刷の流れ方向において、画線部１１と画線部１２との間に非画線部を備える、或いは、画線部１１と画線部１２とを連続的に備える。
【００２６】
インキ着けローラー２１が、画線部１２と接触し終わり、インキ着けローラー２１上のインキの膜厚が、印刷の流れに垂直な方向に段階的に変化するように形成される状態において、インキ着けローラー２１が、次の画線部である画線部１３と接触すると、画線部１３（例えば、網点面積率＝５０％）に対応する印刷物の濃度（５０％濃度）も、印刷の流れに垂直な方向に段階的に変化する。なお、インキ着けローラー２１が、画線部１３と接触する直前で、インキ着けローラー２１上のインキの膜厚が、印刷の流れに垂直な方向に段階的に変化するように形成される状態を維持するために、画線部１２の長さは、上述のように、短い程、好ましい。
【００２７】
画線部１１、１２及び１３を備える平版印刷版で印刷することにより、印刷物は、複数のベタ部の印刷濃度を備えることができ、更に、複数のベタ部の印刷濃度のぞれぞれに対応する所定の網点面積率（例えば、５０％、７５％など）の印刷濃度を備えることができる。ベタ部の印刷濃度と所定の網点面積率の印刷濃度と印刷物の白色部の濃度とから、ドッドゲイン値を求めることができるので、１回の印刷で、複数のベタ部の印刷濃度のそれぞれと、それに対応するドッドゲイン値との関係を求めることが可能となる。なお、ドットゲイン値の代わりに又はドットゲイン値に加えて、コントラストを求めることもできる。コントラスト値を求める場合、ベタ部の印刷濃度と所定の網点面積率の印刷濃度とから、コントラスト値を求めることができる。
【００２８】
（実施例１）
チャート・データは、図１に示すような平版印刷版が、墨色の画線部１１、１２及び１３を備えるように、コンピュータによって生成される。墨色の画線部１１の網点面積率は、印刷の流れに垂直な方向に、０％〜１００％まで、直線的に変化する。墨色の画線部１２の網点面積率は、１００％である。墨色の画線部１３の網点面積率は、５０％である。
【００２９】
コンピュータによって生成されたチャート・データは、画線部１１の網点面積率が、印刷の流れに垂直な方向に、０％〜１００％まで直線的に変化するように、コンピュータによってチャート・データを含む面付けデータに変換される。
【００３０】
チャート・データを含む面付けデータを使用して、ＣＴＰ（Ｃｏｍｐｕｔｅｒ  Ｔｏ  Ｐｌａｔｅ）システムを介して、直接、平版印刷版１０（ＣＴＰ版）が作られる。平版印刷版１０の画線部１１、１２及び１３の網点形状及び線数は、それぞれ、スクエアドット及び１７５線／インチである。なお、チャート・データを含む面付けデータから、フィルムが生成され、その後に、フィルムから、平版印刷版１０（ＰＳ版）が作られてもよい。
【００３１】
平版印刷版１０は、平版印刷機の墨色用の印刷版ローラー２２にセットされ、所定のインキ供給量で、紙の上にチャートが印刷される。その結果、チャートは、画線部１１、１２及び１３に対応する画像部を備える。
【００３２】
墨色の画線部１１（網点面積率：０％〜１００％）に対応するチャートの画像部は、印刷の流れに垂直な方向に、網点面積率が印刷の流れに垂直な方向に段階的に変化するので、墨色の画線部１２（網点面積率＝１００％）に対応するチャートの画像部の印刷濃度は、印刷の流れに垂直な方向に段階的に変化する。即ち、墨色の画線部１２に対応するチャートの画像部は、複数のベタ部の印刷濃度（異なる印刷濃度）を備える。このような状態において、画線部１２に対応するチャートの画像部の印刷濃度は、濃度測定器（例えば、濃度計、分光光度計など）によって、印刷の流れに垂直な方向に、複数の所定の第１測定位置で、測定される。
【００３３】
図３は、墨色の画線部１２（網点面積率＝１００％）に対応するチャートの画像部の印刷濃度と、印刷の流れに垂直な方向に沿った測定位置との関係を表す。例えば図３に示すような、墨色の画線部１２（網点面積率＝１００％）に対応するチャートの画像部の印刷濃度と、印刷の流れに垂直な方向に沿った測定位置との関係は、コンピュータによって、表示手段（例えば、ディスプレイ）に表示され、出力手段（例えば、プリンタ）から出力される。
【００３４】
図３に示すように、１実施例において、画線部１２に対応するチャートの画像部の印刷濃度は、おおよそ、１．６〜０．６まで変化している。また、画線部１２に対応するチャートの画像部の濃度測定数（第１測定位置の数）は、１実施例において、３２である。なお、濃度測定の範囲が、画線部１２に対応するチャートの画像部の幅全体に対応するように定められる場合、濃度測定数は、３２であるが、濃度測定の範囲を、画線部１２に対応するチャートの画像部の幅の一部に対応するように定められることもできる。言い換えれば、濃度測定数を、３２から、例えば１０に減少させ、おおよそ１．６〜１．２まで変化する印刷濃度を測定してもよい（図３中のボックス３０を参照）。
【００３５】
墨色の画線部１３（網点面積率＝５０％）に対応するチャートの画像部の印刷濃度も、印刷の流れに垂直な方向に段階的に変化する。このような状態において、画線部１３に対応するチャートの画像部の印刷濃度は、濃度測定器によって、印刷の流れに垂直な方向に、複数の第２測定位置で、測定される。なお、画線部１３に対応するチャートの画像部の所定の第２測定位置のそれぞれは、印刷の流れ方向に沿って、画線部１２に対応するチャートの画像部の所定の第１測定位置のそれぞれに対応する。言い換えれば、画線部１３に対応するチャートの画像部の所定の第２測定位置のうちのある１つの測定位置と、画線部１２に対応するチャートの画像部の所定の第１測定位置のうちのある１つの測定位置との両者は、ほぼ、印刷の流れ方向に沿った同一直線（印刷の流れに水平である一本の直線）上にある。
【００３６】
図４は、墨色の画線部１３（網点面積率＝５０％）に対応するチャートの画像部の印刷濃度と、印刷の流れに垂直な方向に沿った測定位置との関係を表す。例えば図４に示すような、墨色の画線部１３（網点面積率＝５０％）に対応するチャートの画像部の印刷濃度と、印刷の流れに垂直な方向に沿った測定位置との関係は、コンピュータによって、表示手段に表示され、出力手段から出力される。図４に示すように、１実施例において、画線部１３に対応するチャートの画像部の印刷濃度は、おおよそ、０．６〜０．３まで変化している。また、画線部１３に対応するチャートの画像部の濃度測定数（第２測定位置の数）は、１実施例において、３２である。なお、濃度測定の範囲を、画線部１３に対応するチャートの画像部の幅の一部に対応するように定められることもできる。言い換えれば、濃度測定数を、３２から、例えば１０に減少させ、おおよそ０．６〜０．５まで変化する印刷濃度を測定してもよい（図４中のボックス４０を参照）。
【００３７】
チャートが印刷されている紙の白色部の濃度が、任意の測定位置で、濃度測定器によって測定される。
印刷の流れ方向に沿った同一直線上にある、画線部１２に対応するチャートの画像部の印刷濃度（ＤＳ：１つのベタ濃度）及び画線部１３に対応するチャートの画像部の印刷濃度（ＤＣ：１つの５０％濃度）と、紙の白色部の濃度（ＤＷ）とから、例えば、以下の式１を用いて、実際の測定網点面積率（Ａ）は、例えばコンピュータによって、算出される。
【００３８】
Ａ＝（１−１０-(DC-DW)）／（１−１０-(DS-DW)）×１００  …  （１）
式１は、Ｍｕｒｒａｙ−Ｄａｖｉｅｓの式と呼ばれている。なお、実際の測定網点網点面積率（Ａ）を求める式として、Ｍｕｒｒａｙ−Ｄａｖｉｅｓの式の代わりに、Ｙｕｌｅ−Ｎｉｅｌｓｅｎの式などを用いてもよい。
【００３９】
画線部１３の網点面積率（この実施例において５０％）をＩとし、画線部１３の実際の測定網点面積率をＡとすると、ドッドゲイン値（Ｇ）は、以下の式２を用いて、
Ｇ＝Ａ−Ｉ  …  （２）
例えばコンピュータによって、算出される。
【００４０】
図５は、画線部１３（網点面積率＝５０％）に対応するチャートの画像部のドットゲイン値と、印刷の流れに垂直な方向に沿った測定位置との関係を表す。例えば図５に示すような、画線部１３（網点面積率＝５０％）に対応するチャートの画像部のドットゲイン値と、印刷の流れに垂直な方向に沿った測定位置との関係は、コンピュータによって、表示手段に表示され、出力手段から出力される。図５に示すように、１実施例において、画線部１３に対応するチャートの画像部のドットゲイン値は、おおよそ、２３％〜１２％まで変化している。
【００４１】
図６は、画線部１３（網点面積率＝５０％）に対応するチャートの画像部のドットゲイン値と、そのドットゲイン値に対応する画線部１２（網点面積率＝１００％）に対応するチャートの画像部の濃度（ベタ濃度）との関係を表す。例えば図６に示すような、画線部１３（網点面積率＝５０％）に対応するチャートの画像部のドットゲイン値と、そのドットゲイン値に対応する画線部１２（網点面積率＝１００％）に対応するチャートの画像部の濃度（ベタ濃度）との関係は、コンピュータによって、表示手段に表示され、出力手段から出力される。
【００４２】
このように、複数のベタ部の印刷濃度のそれぞれと、それに対応するドットゲイン値との関係が、表示又は出力されるので、ユーザーに所望のドットゲイン値に対応するベタ部の印刷濃度を読み取らせることにより、所望のドットゲイン値に対応するベタ部の印刷濃度が決定される。なお、複数のベタ部の印刷濃度のそれぞれと、それに対応するドットゲイン値との関係は、コンピュータによって数値化され（例えば、近似式が求められ）てもよい。この場合、所望のドットゲイン値が、コンピュータに入力手段（例えばキーボード）を介して入力されることにより、所望のドットゲイン値に対応するベタ部の印刷濃度は、自動的に決定され、表示手段に表示され、出力手段から出力されてもよい。
【００４３】
例えば、校正用印刷機によって印刷された色見本のドットゲイン値であって、網点面積率５０％に対応するドットゲイン値（墨版のドットゲイン値）が、１８％であった場合、印刷機によって印刷される製品のベタ部の印刷濃度が１．４になるように（矢印６０）、製品を印刷することができる。これにより、印刷機によって印刷された製品のドットゲイン値であって、網点面積率５０％に対応するドットゲイン値（墨版のドットゲイン値）も、１８％になる。
【００４４】
なお、所望のドットゲイン値と一致するドットゲイン値に対応するベタ部の印刷濃度を求めなくとも、所望のドットゲイン値に最も近いドットゲイン値（現に測定されたドットゲイン値）に対応するベタ部の印刷濃度（現に測定されたベタ部の印刷濃度）を求めてもよい。すなわち、例えば、校正用印刷機によって印刷された色見本のドットゲイン値であって、網点面積率５０％に対応するドットゲイン値（墨版のドットゲイン値）が、１８％であった場合、印刷機によって印刷される製品のベタ部の印刷濃度が１．４３（１８％に最も近い１８．５％のドットゲイン値（現に測定されたドットゲイン値）に対応するベタ部の印刷濃度（現に測定されたベタ部の印刷濃度））になるように（矢印６１）、製品を印刷することができる。これにより、印刷機によって印刷された製品のドットゲイン値であって、網点面積率５０％に対応するドットゲイン値（墨版のドットゲイン値）は、１８．５％になる。
【００４５】
（実施例２）
チャート・データは、実施例１と同様に、図１に示すような平版印刷版が、墨色の画線部１１、１２及び１３を備えるように、コンピュータによって生成される。墨色の画線部１１の網点面積率は、印刷の流れに垂直な方向に、０％〜１００％まで、直線的に変化する。墨色の画線部１２の網点面積率は、１００％である。実施例２において、墨色の画線部１３の網点面積率は、実施例１と異なり、７５％である。
【００４６】
実施例１において、墨色の画線部１３（網点面積率＝５０％）に対応するチャートの画像部の濃度から、ドットゲイン値が求められた。実施例２において、墨色の画線部１３（網点面積率＝７５％）に対応するチャートの画像部の印刷濃度から、コントラスト値が求めらる。以下に、実施例１と異なる部分を主に説明する。
【００４７】
図７は、墨色の画線部１３（網点面積率＝７５％）に対応するチャートの画像部の印刷濃度と、印刷の流れに垂直な方向に沿った測定位置との関係を表す。例えば図７に示すような、墨色の画線部１３（網点面積率＝７５％）に対応するチャートの画像部の印刷濃度と、印刷の流れに垂直な方向に沿った測定位置との関係は、コンピュータによって、表示手段に表示され、出力手段から出力される。
【００４８】
図７に示すように、１実施例において、画線部１３に対応するチャートの画像部の印刷濃度は、おおよそ、１．０〜０．４まで変化している。なお、実施例１と同様に、濃度測定の範囲を、画線部１３に対応するチャートの画像部の幅の一部に対応するように定められることもできる。言い換えれば、濃度測定数を、３２から、例えば１０に減少させ、おおよそ０．９〜０．８まで変化する印刷濃度を測定してもよい（図７中のボックス７０を参照）。
【００４９】
チャートが印刷されている紙の白色部の濃度は、濃度測定器によって測定されなくてよい。
印刷の流れ方向に沿った同一直線上にある、画線部１２に対応するチャートの画像部の印刷濃度（ＤＳ：１つのベタ濃度）及び画線部１３に対応するチャートの画像部の印刷濃度（ＤＤ：１つの７５％濃度）から、例えば、以下の式３を用いて、コントラスト値（Ｋｒ値）は、例えばコンピュータによって、算出される。
【００５０】
Ｋｒ＝（ＤＳ−ＤＤ）／ＤＳ  …  （３）
図８は、画線部１３（網点面積率＝７５％）に対応するチャートの画像部のコントラスト値と、印刷の流れに垂直な方向に沿った測定位置との関係を表す。例えば図８に示すような、画線部１３（網点面積率＝７５％）に対応するチャートの画像部のコントラスト値と、印刷の流れに垂直な方向に沿った測定位置との関係は、コンピュータによって、表示手段に表示され、出力手段から出力される。図８に示すように、１実施例において、画線部１３に対応するチャートの画像部のコントラスト値は、おおよそ、０．２１〜０．４１まで変化している。
【００５１】
このように、複数のベタ部の印刷濃度のそれぞれと、それに対応するコントラスト値との関係が、表示又は出力されるので、ユーザーに所望のコントラスト値に対応するベタ部の印刷濃度を読み取らせることにより、所望のドットゲイン値に対応するベタ部の印刷濃度が決定される。なお、複数のベタ部の印刷濃度のそれぞれと、それに対応するコントラスト値との関係は、コンピュータによって数値化され（例えば、近似式が求められ）てもよい。この場合、所望のコントラスト値が、コンピュータに入力手段を介して入力されることにより、所望のコントラスト値に対応するベタ部の印刷濃度は、自動的に決定され、表示手段に表示され、出力手段から出力されてもよい。
【００５２】
例えば、校正用印刷機によって印刷された色見本のコントラスト値であって、網点面積率７５％に対応するコントラスト値（墨版のコントラスト値）が、０．４であった場合、印刷機によって印刷される製品のベタ部の印刷濃度が１．４になるように（矢印８０）、製品を印刷することができる。これにより、印刷機によって印刷された製品のコントラスト値であって、網点面積率７５％に対応するコントラスト値（墨版のコントラスト値）も、０．４になる。
【００５３】
なお、所望のコントラスト値と一致するドットゲイン値に対応するベタ部の印刷濃度を求めなくとも、所望のコントラスト値に最も近いドットゲイン値（現に測定されたコントラスト値）に対応するベタ部の印刷濃度（現に測定されたベタ部の印刷濃度）を求めてもよい。すなわち、例えば、校正用印刷機によって印刷された色見本のコントラスト値であって、網点面積率７５％に対応するコントラスト値（墨版のコントラスト値）が、０．４であった場合、印刷機によって印刷される製品のベタ部の印刷濃度が１．４２（０．４に最も近い０．４０５のコントラスト値（現に測定されたコントラスト値）に対応するベタ部の印刷濃度（現に測定されたベタ部の印刷濃度））になるように（矢印８０）、製品を印刷することができる。これにより、印刷機によって印刷された製品のコントラスト値であって、網点面積率７５％に対応するコントラスト値（墨版のコントラスト値）は、０．４０５になる。
【００５４】
（実施例の変形）
１．実施例１において、墨色の画線部１３の網点面積率は、５０％であったが、５０％以外の値（Ｘ％、０％＜Ｘ＜１００％）であってもよい。この場合、画線部１３（網点面積率＝Ｘ％）に対応するチャートの画像部のドットゲイン値と、そのドットゲイン値に対応する画線部１２（網点面積率＝１００％）に対応するチャートの画像部の濃度（ベタ濃度）との関係が、求められる。
【００５５】
なお、墨色の画線部１３の網点面積率は、平版印刷版に形成される画線部の網点形状によって、決定されることが好ましい。即ち、スクエアドット、チェーンドットは、墨色の画線部１３の網点面積率が５０％であり、ラウンドドットは、７６％であり、ＦＭスクリーンは、７５％であることが好ましい。墨色の画線部１３の網点面積率が網点形状によって決定される理由は、網点形状によって、ドッドゲイン値のピーク値が、異なるからである。
【００５６】
２．実施例２において、墨色の画線部１３の網点面積率は、７５％であったが、７５％以外の値（Ｙ％、０％＜Ｙ＜１００％）であってもよい。この場合、画線部１３（網点面積率＝Ｙ％）に対応するチャートの画像部のコントラスト値と、そのコントラスト値に対応する画線部１２（網点面積率＝１００％）に対応するチャートの画像部の濃度（ベタ濃度）との関係が、求められる。
【００５７】
３．チャート・データは、平版印刷版が、複数の墨色の画線部１３を備えるように、コンピュータによって生成されてもよい。図９は、本発明に従った平版印刷版のもう１つの例を表す。例えば、平版印刷版１０は、印刷の流れ方向の上手から下手に向かって、画線部１１、画線部１２、画線部１３−１及び画線部１３−２の順列で、画線部１１、画線部１３−１及び画線部１３−２を備える。画線部１３−１（網点面積率＝５０％）は、ドットゲイン値の算出用に配置され、画線部１３−２（網点面積率＝７５％）は、コントラスト値の算出用に配置される。
【００５８】
４．チャート・データは、複数の色用に、即ち、カラー印刷用に、コンピュータによって生成されることが好ましい。例えば、墨色用の平版印刷版の他に、藍色、紅色および黄色用の平版印刷版を作ることが好ましい。この場合、画線部１１のそれぞれは、例えば、平版印刷版のそれぞれに対して、他の色の画線部１１と同一の位置に、配置される。即ち、画線部１１に対応するチャートの画像部のそれぞれは、例えば、重ね合わされるように印刷される。また、画線部１２及び画線部１３のそれぞれは、他の色の画線部と重ならないように配置される。即ち、画線部１２及び画線部１３に対応するチャートの画像部のそれぞれの印刷濃度が、測定できればよい。
【００５９】
５．他の実施形態の変形が特許請求の範囲内において実施し得ることを、当業者は、容易に理解できるであろう。同時に、本発明が上述の実施形態に限定されず、特許請求の範囲内にあることを、当業者は、容易に理解できるであろう。
【図面の簡単な説明】
【００６０】
【図１】本発明に従った平版印刷版の１例を表す。
【図２】本発明に従った平版印刷版が装着された印刷版ローラー２２とインキ着けローラー２１との配置図と、インキ着けローラー２１上のインキの膜厚を表す図である。
【図３】墨色の画線部１２（網点面積率＝１００％）に対応するチャートの画像部の濃度と、印刷の流れに垂直な方向に沿った測定位置との関係を表す。
【図４】墨色の画線部１３（網点面積率＝５０％）に対応するチャートの画像部の濃度と、印刷の流れに垂直な方向に沿った測定位置との関係を表す。
【図５】画線部１３（網点面積率＝５０％）に対応するチャートの画像部のドットゲイン値と、印刷の流れに垂直な方向に沿った測定位置との関係を表す。
【図６】画線部１３（網点面積率＝５０％）に対応するチャートの画像部のドットゲイン値と、そのドットゲイン値に対応する画線部１２（網点面積率＝１００％）に対応するチャートの画像部の濃度（ベタ濃度）との関係を表す。
【図７】墨色の画線部１３（網点面積率＝７５％）に対応するチャートの画像部の濃度と、印刷の流れに垂直な方向に沿った測定位置との関係を表す。
【図８】画線部１３（網点面積率＝７５％）に対応するチャートの画像部のコントラスト値と、印刷の流れに垂直な方向に沿った測定位置との関係を表す。
【図９】本発明に従った平版印刷版のもう１つの例を表す。
【図３】
2005313431.tif 000003
【図４】
2005313431.tif 000004
【図５】
2005313431.tif 000005
【図６】
2005313431.tif 000006
【図７】
2005313431.tif 000007
【図８】
2005313431.tif 000008
【図１】
2005313431.tif 000009
【図２】
2005313431.tif 000010
【図９】
2005313431.tif 000011